(57)【要約】【課題】  外部からの操作を不可能とすることで、特に両開き式の門扉装置におけるシリンダー錠による施錠を適切に行えるようにした落とし棒装置を提供する。【解決手段】  落とし棒装置２０は、門扉本体２Ａ、２Ｂの回動側側面５Ａ、５Ｂに沿って配置された収納フレーム２１と、収納フレーム２１に対して上下動可能な落とし棒２６と、落とし棒２６を横切る貫通孔２６ａを貫通して配置された位置決め部材２７と、位置決め部材２７の先端部２７ｃが係止される上側保持部材２９及び下側保持部材３０と、落とし棒２６と先端部２７ａの間に介装されるコイルスプリング２８とを備える。位置決め部材２７を門扉本体２Ａ、２Ｂの正面部３Ａ、３Ｂに沿った方向に動かすことにより、位置決め部材２７と上側保持部材２９又は下側保持部材３０との係止及び係止解除がなされる。【選択図】      図３
2005336943.tif 000002
【特許請求の範囲】
【請求項１】
門扉本体に対して上下方向に移動可能に配設された落とし棒と、
前記落とし棒に連係した位置決め部材と、
前記位置決め部材を所定位置に保持する保持手段と、
を備えた門扉装置において、
前記位置決め部材を前記門扉本体の延在する面に沿った方向に移動させることにより、前記保持手段による前記位置決め部材の保持及び保持解除がなされるようにした落とし棒装置。
【請求項２】
前記門扉本体の側面に隣接して設けられている請求項１に記載の落とし棒装置。
【請求項３】
前記位置決め部材が前記門扉本体の外側に向けて移動したとき、前記保持手段による位置決め部材の保持解除がなされる請求項１又は請求項２に記載の落とし棒装置。
【請求項４】
前記位置決め部材を前記保持手段により保持される方向に付勢する付勢手段を備えた請求項１から請求項３のいずれか一つに記載の落とし棒装置。
【請求項５】
前記位置決め部材は、前記落とし棒を横方向に貫通する貫通孔内に摺動可能に設けられる請求項１から請求項４のいずれか一つに記載の落とし棒装置。
【請求項６】
前記保持手段は、前記位置決め部材が係止される保持部材を備えた請求項１から請求項５のいずれか一つに記載の落とし棒装置。
【請求項７】
前記落とし棒は、前記門扉本体を固定する固定位置と前記門扉本体を固定しない非固定位置との間で移動可能であり、前記保持手段は、前記保持部材として上側保持部材と下側保持部材を備え、前記位置決め部材が前記上側保持部材に係止されたときに、前記落とし棒は非固定位置に保持され、前記位置決め部材が前記下側保持部材に係止されたときに、前記落とし棒が固定位置に保持されるようにした請求項６に記載の落とし棒装置。
【請求項８】
前記位置決め部材は、前記固定位置において、前記上側保持部材と前記下側保持部材との間に狭持された状態で保持される請求項７に記載の落とし棒装置。
【請求項９】
前記位置決め部材は、前記上側保持部材に係止される位置と前記下側保持部材に係止される位置との間の移動中、前記上側保持部材の摺動面上を摺動するようにした請求項７又は請求項８に記載の落とし棒装置。
【請求項１０】
前記保持手段は、前記位置決め部材が嵌合する保持孔を備えた請求項１から請求項５のいずれか一つに記載の落とし棒装置。
【請求項１１】
２つの門扉本体を備えた両開き式の門扉装置における少なくとも一方の門扉本体に、他方の門扉本体との合わせ面である側面と隣接して設けられる請求項１から請求項１０のいずれか一つに記載の落とし棒装置。
【発明の詳細な説明】
【技術分野】
【０００１】
本発明は、門扉の固定のために備えられる落とし棒装置に関する。
【背景技術】
【０００２】
敷地の出入口等に設けられる門扉装置として、門扉の固定のために落とし棒装置を備えたものが知られている。このような落とし棒装置は、上下方向に移動可能な落とし棒を備え、この落とし棒が、地面に形成された嵌合孔に嵌合することにより、門扉の固定がなされる。
【０００３】
このような落とし棒による固定及び固定解除を適切に行うためには、落とし棒の位置を、落とし棒が嵌合孔に嵌合する固定位置と、落とし棒が嵌合孔と嵌合しない非固定位置とに、適切に保持する手段が必要となる。このような保持手段として、従来、例えば落とし棒から直角方向に延びるアームを備えたものがある。この従来の保持手段では、非固定位置において、落とし棒を軸周りで回転させることにより、アームを係止部に係合させて、落とし棒を固定位置又は非固定位置に保持する。
【発明の開示】
【発明が解決しようとする課題】
【０００４】
しかしながら、このような従来の落とし棒装置は、門扉の裏面に設けられる（外付けされる）ことが多かったので、例えば、侵入者が門扉下側の隙間や格子状門扉の格子間の隙間から手を入れることにより、操作されてしまう可能性があった。このため、両開き式（観音開き式）の門扉装置において、両側の門扉の間をシリンダー錠で施錠している場合、落とし棒装置による固定を外し、門扉をわずかに動かすことにより、シリンダー錠を外してしまうことが可能となってしまっていた。
【０００５】
本発明は、このような問題点に着目してなされたもので、外部からの操作を不可能とすることで、特に両開き式の門扉装置におけるシリンダー錠による施錠を適切に行えるようにした落とし棒装置を提供することを目的とする。
【課題を解決するための手段】
【０００６】
本発明は、門扉本体に対して上下方向に移動可能に配設された落とし棒と、前記落とし棒に連係した位置決め部材と、前記位置決め部材を所定位置に保持する保持手段とを備えた門扉装置において、前記位置決め部材を前記門扉本体の延在する面に沿った方向に移動させることにより、前記保持手段による前記位置決め部材の保持及び保持解除がなされるようにした。
【０００７】
前記落とし棒装置は、前記門扉本体の側面に隣接して設けられていてもよい。
前記位置決め部材が前記門扉本体の外側に向けて移動したとき、前記保持手段による位置決め部材の保持解除がなされるようにしてもよい。
【０００８】
前記位置決め部材を前記保持手段により保持される方向に付勢する付勢手段を備えてもよい。
前記位置決め部材は、前記落とし棒を横方向に貫通する貫通孔内に摺動可能に設けられていてもよい。
【０００９】
前記保持手段は、前記位置決め部材が係止される保持部材を備えてもよい。
前記落とし棒は、前記門扉本体を固定する固定位置と前記門扉本体を固定しない非固定位置との間で移動可能であり、前記保持手段は、前記保持部材として上側保持部材と下側保持部材を備え、前記位置決め部材が前記上側保持部材に係止されたときに、前記落とし棒は非固定位置に保持され、前記位置決め部材が前記下側保持部材に係止されたときに、前記落とし棒が固定位置に保持されるようにしてもよい。
【００１０】
前記位置決め部材は、前記固定位置において、前記上側保持部材と前記下側保持部材との間に狭持された状態で保持されるようにしてもよい。
前記位置決め部材は、前記上側保持部材に係止される位置と前記下側保持部材に係止される位置との間の移動中、前記上側保持部材の摺動面上を摺動するようにしてもよい。
【００１１】
前記保持手段は、前記位置決め部材が嵌合する保持孔を備えてもよい。
前記落とし棒装置は、２つの門扉本体を備えた両開き式の門扉装置における少なくとも一方の門扉本体に、他方の門扉本体との合わせ面である側面と隣接して設けられるようにしてもよい。
【発明の効果】
【００１２】
本発明によれば、落とし棒（例えば落とし棒２６）と連係する位置決め部材（例えば位置決め部材２７）を門扉本体の延在する面（例えば正面３Ａ、３Ｂ及び裏面４Ａ、４Ｂに沿った面）に沿って動かすことにより、保持手段（例えば上側保持部材２９及び下側保持部材３０、又は上側保持孔４１及び下側保持孔４２、又は上側保持部材５１及び下側保持部材５２）による位置決め部材の保持及び保持解除がなされる。したがって、落とし棒装置を操作するために門扉本体に形成する開口は、門扉本体の側面（例えば回動側側面５Ａ、５Ｂ）にのみ形成すれば済む。この結果、例えば、両開き式の門扉装置において、落とし棒装置を操作するための開口を２つの門扉本体の合わせ面に形成すれば、門扉が閉止されている限り、落とし棒装置を操作できないようにできる。よって、両開き式の門扉装置において、門扉が閉止されたままで落とし棒装置が開錠されてしまう結果、シリンダー錠が機能しなくなってしまうことを防止できるので、シリンダー錠による確実な施錠が可能となる。
【００１３】
また、位置決め部材を保持手段により保持される方向に付勢する付勢手段（例えばコイルスプリング２８）を備えれば、位置決め部材の保持は確実になり、落とし棒は、所定位置（例えば固定位置又は非固定位置）に安定的に保持される。さらに、落とし棒が所定位置に達したときに、位置決め部材の保持手段による保持が自動的になされるようにできるので、落とし棒を所定位置に固定するための作業が必要なくなり、固定及び固定解除作業が容易となる。
【００１４】
また、保持手段として上側保持部材及び下側保持部材を備え、位置決め部材が上側保持部材と下側保持部材の間に狭持されるようにしたり、又は保持手段として保持孔を備え、位置決め部材が保持孔に嵌合して保持されるようにすれば、位置決め部材の保持手段による保持は、落とし棒の操作によっては外れない確実なものとなる。
【００１５】
また、位置決め部材の保持手段による保持解除を、位置決め部材を門扉本体の外側に引き出して行うようにすれば、位置決め部材を門扉本体の側部近くに配置することができるので、落とし棒装置全体をコンパクトに構成できる。
【発明を実施するための最良の形態】
【００１６】
以下、添付図面に基づいて本発明の各実施形態を説明する。
図１、図２には、本発明の第１の実施形態における門扉装置１の全体構成を示す。図示されるように、門扉装置１は、両開き式（観音開き式）のもので、左右の門扉本体２Ａ、２Ｂを備えている。
【００１７】
門扉本体２Ａ、２Ｂは、それぞれ、門扉装置１により区画される外側の領域（図２の下側の領域）に面する正面３Ａ、３Ｂと、内側の領域（図２の上側の領域）に面する裏面４Ａ、４Ｂとを有する板状の部材であり、門扉装置１の閉鎖状態（図１、図２に示される状態）において、門扉本体２Ａと２Ｂの正面３Ａと３Ｂ、及び裏面４Ａと４Ｂがそれぞれ一平面を形成するように、並んで配置されている。
【００１８】
閉鎖状態において門扉本体２Ａ、２Ｂの合わせ面となる側面は、開閉時に動かされる回動側側面５Ａ、５Ｂである。一方、各門扉本体２Ａ、２Ｂの回動側側面５Ａ、５Ｂと反対側の側部は、断面略正方形の軸止部６Ａ、６Ｂとなっている。この軸止部６内部には、上下方向に延びる回転軸７Ａ、７Ｂが設けられ、各門扉本体２Ａ、２Ｂは、この回転軸７Ａ、７Ｂを介して、地面内に設けられた固定部８Ａ、８Ｂに対して回動可能に軸支されている。これにより、各門扉本体２Ａ、２Ｂは、回転軸７Ａ、７Ｂの周りで回動し、観音開き式に（図２に矢印で示すように）開閉する。
【００１９】
門扉本体２Ｂの回動側側面５Ｂ付近には、取っ手９とシリンダー錠１０が備えられている。門扉本体２Ｂは、この取っ手９を用いて開閉操作され、シリンダー錠１０によって門扉本体２Ａとの間で施錠される。
【００２０】
各門扉本体２Ａ、２Ｂの下部には、回動側側面５Ａ、５Ｂに隣接して、落とし棒装置２０Ａ、２０Ｂが内蔵されている。落とし棒装置２０Ａ、２０Ｂは、門扉本体２Ａ、２Ｂの開閉を閉鎖位置（図１、図２に示す位置）に固定するための装置である。具体的には、落とし棒装置２０Ａ、２０Ｂは、落とし棒２６Ａ、２６Ｂを備え、この落とし棒２６Ａ、２６Ｂの下端部が、地面に形成された嵌合孔１１Ａ、１１Ｂに嵌合することにより、門扉本体２Ａ、２Ｂを固定するものである（詳しくは後述する）。回動側側面５Ａ、５Ｂの落とし棒装置２０と隣接する部分には、開口が形成されており、落とし棒装置２０は、この開口から操作できるようになっている。
【００２１】
なお、落とし棒装置２０Ａ、２０Ｂは、全く同じ構造を持つものであるので、以下の説明では、落とし棒装置２０として、まとめて説明する。また、門扉本体２Ｂ（すなわち、取っ手９を用いて開閉される側の門扉本体）に設けられた落とし棒装置２０Ｂは、左右の門扉本体２Ａ、２Ｂのデザインの対称性等のために設けられたもので、本発明との関連では必ずしも必要なものではない。
【００２２】
図３から図６には、落とし棒装置２０を詳細に示す。
図３、図６、図７に示すように、落とし棒装置２０は、収容フレーム２１を備えている。収容フレーム２１は、門扉本体２Ａ、２Ｂの回動側側面５Ａ、５Ｂに沿って、門扉本体２Ａ、２Ｂ内側に配置される部材であり、背面部２２、正面部２３、上部２４、下部２５から構成される。これら収容フレーム２１の各構成要素は、例えば溶接によって、互いに連結されている。
【００２３】
背面部２２は、上下端にそれぞれ上部２４及び下部２５の端部が連接された板状の部材であり、門扉本体２Ａ、２Ｂの回動側側面５Ａ、５Ｂから最も奥まった位置に配置される（図３、図４では、回動側側面５Ａ又は５Ｂをまとめて回動側側面５として示している）。また、正面部２３は、上下端がそれぞれ上部２４及び下部２５の中央部付近に連接された板状の部材であり、門扉本体２Ａ、２Ｂの回動側側面５Ａ、５Ｂよりもやや門扉本体２Ａ、２Ｂの内側に配置され、回動側側面５に形成された開口に面して配置されている。正面部２３には、上下方向に延びる長孔２３ａが形成されている（図４参照）。後述するように、この長孔２３ａには、位置決め部材２７の基端側が貫通し、操作者は、この位置決め部材２７の基端部分（把持部２７ｂ）を持って、落とし棒装置２０を操作することができる。
【００２４】
上部２４は、断面Ｌ字型に折り曲げられた板部材である。また、下部２５は、断面コの字形に折り曲げられた板部材である。上部２４及び下部２５は、それぞれ被固定部２４ａ及び２５ａを備える。被固定部２４ａ、２５ａは、門扉本体２Ａ、２Ｂの回動側側面５Ａ、５Ｂの裏面に沿って配置され、締結ピン３１により、回動側側面５Ａ、５Ｂに対して固定されている。
【００２５】
上部２４には貫通孔２４ｂが、また下部２５には貫通孔２５ｂ及び２５ｃが、それぞれ形成されている。落とし棒２６は、これらの貫通孔２４ｂ、２５ｂ、２５ｃを上下方向に貫通して配置され、上下方向に移動可能となっている。
【００２６】
落とし棒２６の中央付近には、落とし棒２６を横方向に貫通する貫通孔２６ａが形成されている。この貫通孔２６ａ内には、位置決め部材２７が設けられる。位置決め部材２７は、貫通孔２６ａを貫通する棒状の本体２７ａを備えている。この本体２７ａの基端側（図の左側）は、正面部２３の長孔２３ａを貫通して、正面部２３よりも手前（回動側側面５Ａ、５Ｂ側）に配置されている。この本体２７ａの基端側には、把持部２７ｂが備えられる。一方、本体２７ａの先端は、フランジ状の先端部２７ｃとなっている。
【００２７】
位置決め部材２７の本体２７ａの外周には、コイルスプリング２８が配設される。コイルスプリング２８は、位置決め部材２７先端部２７ｃと落とし棒２６との間に介装されることにより、先端部２７ｃを背面部２２側に向けて付勢している。
【００２８】
収容フレーム２１の背面部２２の表面（回動側側面５Ａ、５Ｂを向いた面）には、上側保持部材２９と下側保持部材３０が固設されている（図５参照）。上側保持部材２９は、背面部２２の略中央に、上下方向に延在して配置される。一方、下側保持部材３０は、上側保持部材２９の下方に配置された部材であり、上方を向いた受け面３０ａを備えている。上側保持部材２９の下端部２９ｃと下側保持部材３０の受け面３０ａの間には、位置決め部材２７の先端部２７ｃが入り込めるような間隔が設けられる。下側保持部材３０は、上側保持部材２９よりも落とし棒２６側に長く延び出しており、その先端が落とし棒２６の近傍まで達している。
【００２９】
詳しくは後述するように、落とし棒２６が上方の非固定位置（図３に示す位置）にあるとき、位置決め部材２７の先端部２７ｃは、上側保持部材２９の上端部２９ａ上に係止される。これにより、位置決め部材２７は、非固定位置に保持される。また、図６に示すように、位置決め部材２７が非固定位置から下方の固定位置（図７に示す位置）に向けて移動するときには、先端部２７ｃは、上側保持部材２９の平坦部２９ｂ上を滑るようにして移動していく。位置決め部材２７が固定位置まで移動してくると、先端部２７ｃは、下側保持部材３０の受け面３０ａにぶつかり、この受け面３０ａ上に係止される。これにより、位置決め部材２７は、固定位置に保持される。
【００３０】
つぎに、門扉装置１の使用方法について説明する。
通常の使用において、門扉装置１は、門扉本体２Ａは締め切りにした状態で、門扉本体２Ｂのみを開閉して使用される。この場合、門扉本体２Ｂが開閉可能なように、門扉本体２Ｂ側の落とし棒装置２０Ｂは、常時、非固定状態（落とし棒２６が非固定位置に保持された状態）としておく。
【００３１】
一方、門扉装置１の固定をするときには、門扉本体２Ａ側の落とし棒装置２０Ａは、固定状態（落とし棒２６が固定位置に保持された状態）とする。これにより、シリンダー錠１０による施錠が正しく機能するようにできる。つまり、門扉本体２Ａを落とし棒装置２０Ａによって固定しないで、門扉本体２Ａと２Ｂの間にシリンダー錠１０をかけた場合、シリンダー錠１０によって施錠された門扉本体２Ａと２Ｂを動かし得る範囲で動かすことにより、シリンダー錠１０は容易に外れてしまうので、門扉本体２Ａ、２Ｂを閉止位置に保持することはできない。これに対して、門扉本体２Ａの位置を落とし棒装置２０Ａにより閉止位置に固定しておけば、門扉本体２Ａの開方向への動きは全く禁止されるので、門扉本体２Ａと門扉本体２Ｂをシリンダー錠１０で施錠したとき、門扉本体２Ｂを動かしたとしても、シリンダー錠１０が外れてしまうことはない。これにより、シリンダー錠１０による確実な施錠が可能となる。
【００３２】
つぎに、図３、図６、図７を用いて、落とし棒装置１０の使用方法を説明する。
図３には、非固定状態にある落とし棒装置２０を示す。この非固定状態において、位置決め部材２７の先端部１７ｃは、上側保持部材２９の上端部２９ａに係止されている。これにより、落とし棒２６は、非固定位置に保持されている。この場合、位置決め部材２７は、コイルスプリング２８により背面部２２側（図３の右側）に向けて付勢されているので、先端部１７ｃは、背面部２２と接触する位置まで押し込まれており、上側保持部材２９の上端部２９ａに対して安定して係止されている。これにより、落とし棒２６は、非固定位置に安定的に保持され、振動等で落とし棒２６が落下して、落とし棒装置２０が固定されてしまうことが防止される。
【００３３】
落とし棒装置２０を固定状態とするには、落とし棒２６を下方の固定位置まで移動させる。この場合、落とし棒装置２０の操作者は、まず、位置決め部材２７の把持部２７ａを把持し、位置決め部材２７を、コイルスプリング２８に抗して、手前側（門扉本体２Ａ、２Ｂの外側）に向けて引っ張る。このようにして、位置決め部材２７の先端部２７ｃが上側保持部材２９より手前の位置まで移動してくると、先端部２７ｃと上側保持部材２９の上端部２９ａとの係止が解かれるので、落とし棒２６は下降が自由となる。これにより、操作者は、把持部２７を把持しながら、落とし棒２６を下方に移動させることができる。なお、この場合、落とし棒２６を、その自重により自然に下方に移動させてもよい。
【００３４】
図６には、落とし棒２６の移動状態を示す。図示されるように、この移動中、操作者が特に位置決め部材２７を手前に引っ張らなければ、位置決め部材２７の先端部２７ｃは、コイルスプリング２８によって上側保持部材２９の平坦部２９ｂに押しつけられた状態にある。これにより、先端部２７ｃは平坦部２９ｂの表面上を滑るようにして移動していくので、平坦部２９ｂと先端部２７ｃ間の摩擦力により、落とし棒２６の急速な落下が防止され、落とし棒２６は、固定位置に向けて適切なスピードで移動していく。
【００３５】
このようにして、落とし棒２６が上側保持部材２９の下側まで下降すると、位置決め部材２７の先端部２７ｃが下側保持部材３０の受け面３０ａに当接することにより、落とし棒２６の下降は停止する。このとき、落とし棒２６の下端部は、嵌合孔１１（嵌合孔１１Ａと１１Ｂをまとめて嵌合孔１１とする）に嵌合するまで下降しており、落とし棒装置２０は、固定状態となる。
【００３６】
図７には、固定状態にある落とし棒装置２０を示す。この固定状態では、位置決め部材２７の先端部２７ｃは下側保持部材３０の受け面３０ａの上に係止された状態にあり、この結果、落とし棒２６は固定位置に保持されている。この場合、位置決め部材２７はコイルスプリング２８の付勢力により背面部２２側に向けて付勢されているので、位置決め部材２７の先端部２７ｃは、背面部２２と当接する位置まで押し込まれ、上側保持部材２９と下側保持部材３０との間に狭持された状態となる。これにより、先端部２７ｃは、上側保持部材２９と下側保持部材３０との隙間内に確実に保持され、落とし棒２６は固定位置に安定的に保持される。具体的には、例えば、外部からの侵入者が、落とし棒２６の露出部分２６ｂを持って落とし棒２６を上方に持ち上げて、落とし棒２６を嵌合孔１１から外そうとしても、位置決め部材２７の先端部２７ｃが上側保持部材２９の下端部２９ｃに当接するため、落とし棒２６を持ち上げることはできない。また、位置決め部材２７は、特別な操作をしなくても、コイルスプリング２８により下側保持部材３０に係止される位置へと動かされる。このため、操作者は、落とし棒２６を固定位置にロックするための操作をする必要がなく、固定作業は容易である。
【００３７】
以上のように、本実施形態の落とし棒装置１０によれば、位置決め部材２７が、門扉本体２Ａ、２Ｂが延在する面に沿った方向（すなわち正面３Ａ、３Ｂ及び裏面４Ａ、４Ｂに沿った方向）に移動することにより、落とし棒２６の固定位置及び非固定位置への保持が行われる。すなわち、落とし棒装置２０における固定及び固定解除操作において、位置決め部材２７は、門扉本体２Ａ、２Ｂの厚み（正面３Ａ、３Ｂと裏面４Ａ、４Ｂとの間隔）からはみ出して動くことはない。したがって、落とし棒装置１０を操作するために門扉本体２Ａ、２Ｂに形成する開口は、門扉本体２Ａ、２Ｂの回動側側面５Ａ、５Ｂにのみ形成すれば済む。この結果、門扉本体２Ａ、２Ｂを閉止すると、各門扉本体２Ａ、２Ｂの落とし棒装置１０を操作するための開口が、反対側の門扉本体２Ｂ、２Ａにより塞がれるようにでき、落とし棒装置１０を操作することができなくなる。したがって、両開き式の門扉装置１において、侵入者が外部から落とし棒装置１０を操作することにより、シリンダー錠１０を機能しないようにすることはできず、門扉本体２Ａと２Ｂは、シリンダー錠１０によって正しく閉止位置に固定される。
【００３８】
また、位置決め部材２７は、コイルスプリング２８により、先端部２７ｃが上側保持部材２９の上端部２９ａ又は下側保持部材３０の受け面３０ａに係止される位置に向けて、常時付勢されている。これにより、落とし棒２６は、固定位置又は非固定位置に確実に保持される。さらに、落とし棒２６が非固定位置又は固定位置に達した場合には、コイルスプリング２８に付勢された位置決め部材２７は、上側保持部材２９ａ又は下側保持部材３０に係止される位置までバネ力によって動かされるので、落とし棒２６の位置は、固定位置又は非固定位置に自然に収まり、そこで保持される。したがって、落とし棒２６を固定位置又は非固定位置にロックするための操作が特に必要でなくなり、固定及び固定解除作業が容易となる。
【００３９】
また、固定位置において、位置決め部材２７の先端部２７ｃは、上側保持部材２９の下端部２９ｃと下側保持部材３０の受け部３０ａの間に狭持された状態になるので、位置決め部材２７は、固定位置に確実に固定される。例えば、侵入者が、落とし棒２６の露出部分２６ｂを持って非固定位置に動かそうとしても、先端部２７ｃが上側保持部材２９の下端部２９ｃに当接することにより、落とし棒２６が動かされることはない。特に、本実施形態では、コイルスプリング２８によって、位置決め部材２７は、先端部２７ｃが上側保持部材２９の下端部２９ｃと下側保持部材３０の受け部３０ａの間に収まるように付勢されているので、落とし棒２６の固定位置への固定は確実である。
【００４０】
また、上側保持部材２９又は下側保持部材３０との係止を解くときに、位置決め部材２７を門扉本体２Ａ、２Ｂの外側に向けて引き出すようになっているので、落とし棒２６が固定位置又は非固定位置にあるとき、位置決め部材２７の基端部（把持部２７ａ）を、回動側側面５の近傍に配置できる。したがって、落とし棒装置２６は、回動側側面５から小さな奥行き内に収まるものとでき、コンパクトに構成できる。
【００４１】
図８、図９には、本発明の第２の実施形態を示す。
本実施形態では、位置決め部材２７を保持する保持手段として、上記第１の実施形態における上側保持部材２９及び下側保持部材３０を用いる代わりに、収納フレーム２１の背面２２に形成した上側保持孔４１及び下側保持孔４２を用いる。
【００４２】
上記第１の実施形態と相違点を中心に説明すると、本実施形態では、位置決め部材２７の外周には、先端部４３の手前に位置するように、フランジ状のバネ座部４４が固設されている。コイルスプリング２８は、このバネ座部４４と落とし棒２６の間に介装され、位置決め部材２７を背面部２２側に付勢している。
【００４３】
位置決め部材２７の先端部４３は、上側保持孔４１及び下側保持孔４２に対して抜き差しできるように、バネ座部４４よりも先に延びだしている。これにより、先端部４３が上側保持孔４１に嵌合したとき、落とし棒２６が、図８に示す非固定位置に固定され、また先端部４３が下側保持孔４２に嵌合したとき、落とし棒２６が、図９に示す固定位置に固定されるようになっている。なお、本実施形態に上記第１の実施形態の下側保持部材３０を組み合わせて用いることにより、落とし棒２６が固定位置を行き過ぎて下方に落ち込んでしまうことを防止することも可能である。
【００４４】
この実施形態からも分かるように、本発明において、位置決め部材を保持する保持手段の形態は、特に限定されず、位置決め部材を所定位置に保持できるものであれば、任意の手段を用い得る。
【００４５】
図１０から図１２には、本発明の第３の実施形態を示す。
本実施形態では、位置決め部材２７の保持手段である上側保持部材５１及び下側保持部材５２が、収納フレーム２１の背面部２２の裏面（落とし棒２６と反対側の面）に配置される。これにより、位置決め部材２７を、手前に引っ張るのではなく、門扉本体２Ａ、２Ｂの内側に押し出すことによって、位置決め部材２７の保持を解除する構成をとることができる。
【００４６】
詳しく説明すると、本実施形態において、位置決め部材２７の本体２７ａ外周には、リング状部材５３が、収容フレーム２１の正面部２３の表面（回動側側面５Ａ、５Ｂ側の面）に接して位置するように、本体２７ａに対して移動可能に配設される。このリング状部材２７と位置決め部材２７の把持部２７ｂとの間にコイルスプリング２８が介装される。これにより、位置決め部材２７は、コイルスプリング２８により、手前側（回動側側面５Ａ、５Ｂ側）に、常時付勢されている。
【００４７】
収容フレーム２１の背面部２２には、上下方向に延びるスリット５４が形成されており、位置決め部材２７は、このスリット５４を貫通している。これにより、位置決め部材２７のフランジ状の先端部５５は、背面部２２の裏面側に配置されている。なお、先端部５５は、フランジ状であるので、スリット５４を通って、背面部２２の表面側（落とし棒２６側）に抜けてしまうことはない。
【００４８】
収納フレーム２１の背面部２２の裏面には、上側保持部材５１と下側保持部材５２が固設されている。上側保持部材５１は、スリット５４に沿って、スリット５４の両側に配置されている（図では、片側の上側保持部材５１のみを示す）。下側保持部材５２は、スリット５４の下端付近に、上側保持部材５１と所定の間隔をもって配置されている。
【００４９】
図１０に示すように、落とし棒２６が非固定位置にあるときには、位置決め部材２７の先端部５５は、上側保持部材５１の上端部に係止されており、これにより、落とし棒２６は非固定位置に保持されている。
【００５０】
落とし棒２６を固定位置に移動させるためには、図１１に示すように、コイルスプリング２８に抗して、位置決め部材２７を門扉本体２Ａ、２Ｂの内側方向に押し出す。これにより、位置決め部材２７の先端部５５は、上側保持部材５１を越える位置まで、門扉本体２Ａ、２Ｂの内側に移動する。この結果、先端部５５と上側保持部材５１の係止が外れ、位置決め部材２７は、下方に移動自由となり、操作者の手動又は自重により、固定位置に向けて移動していく。
【００５１】
図１２に示すように、落とし棒２６が固定位置に達すると、位置決め部材２７の先端部５５は、上側保持部材５１の下方に達するとともに、下側保持部材５２と当接することにより、落とし棒２６の下方への移動が停止される。そして、コイルスプリング２８により位置決め部材２７が手前側に動かされることにより、位置決め部材２７の先端部５５は、上側保持部材５１と下側保持部材５２の間に狭持された状態となる。これにより、落とし棒２６は、固定位置に安定的に保持される。
【００５２】
この実施形態から分かるように、本発明における位置決め部材は、門扉本体２Ａ、２Ｂの正面部３Ａ、３Ｂ及び裏面部４Ａ、４Ｂが延在する方向に移動することにより、保持又は保持解除されるものであればよく、保持解除のために位置決め部材を動かす向きが特に限定されないのは当然である。
【００５３】
なお、上記各実施形態では、位置決め部材２７が所定の位置で安定的に保持されるように、位置決め部材２７の付勢手段としてコイルスプリング２８を用いているが、付勢手段の形態はスプリングに限られず、任意の形態をとることができる。また、本発明では、位置決め部材の付勢手段自体、必須のものではなく、例えば、上記各実施形態において、コイルスプリング２８を省略し、位置決め部材２７の保持位置への移動を完全に手動で行うようにしてもよい。
【図面の簡単な説明】
【００５４】
【図１】本発明の第１の実施形態における門扉装置を示す正面図である。
【図２】同じく門扉装置を示す平面図である。
【図３】同じく落とし棒装置を示す断面図である。
【図４】同じく落とし棒装置を示す側面図であり、落とし棒が非固定位置にある状態を示す。
【図５】同じく収容フレームを示す側面図である。
【図６】同じく落とし棒装置を示す側面図であり、落とし棒が非固定位置と固定位置の間を移動している状態を示す。
【図７】同じく落とし棒装置を示す側面図であり、落とし棒が固定位置にある状態を示す。
【図８】本発明の第２の実施形態における落とし棒装置を示す側面図であり、落とし棒が非固定位置にある状態を示す。
【図９】同じく落とし棒装置を示す側面図であり、落とし棒が固定位置にある状態を示す。
【図１０】本発明の第３の実施形態における落とし棒装置を示す側面図であり、落とし棒が非固定位置にある状態を示す。
【図１１】同じく落とし棒装置を示す側面図であり、落とし棒が非固定位置と固定位置の間を移動している状態を示す。
【図１２】同じく落とし棒装置を示す側面図であり、落とし棒が固定位置にある状態を示す。
【符号の説明】
【００５５】
１  門扉装置
２Ａ、２Ｂ  門扉本体
３Ａ、３Ｂ  門扉正面
４Ａ、４Ｂ  門扉裏面
５Ａ、５Ｂ  回動側側面
６Ａ、６Ｂ  軸止部
７Ａ、７Ｂ  回転軸
８Ａ、８Ｂ  固定部
９  取っ手
１０  シリンダー錠
２０  落とし棒装置
２１  収納フレーム
２２  背面部
２３  正面部
２４  上部
２５  下部
２６  落とし棒
２７  位置決め部材
２８  コイルスプリング
２９  上側保持部材
３０  下側保持部材
４１  上側保持孔
４２  下側保持孔
４３  位置決め部材の先端部
４４  バネ座部材
５１  上側保持部材
５２  下側保持部材
５３  リング部材
５４  スリット
５５  位置決め部材の先端部
【図１】
2005336943.tif 000003
【図２】
2005336943.tif 000004
【図３】
2005336943.tif 000005
【図４】
2005336943.tif 000006
【図５】
2005336943.tif 000007
【図６】
2005336943.tif 000008
【図７】
2005336943.tif 000009
【図８】
2005336943.tif 000010
【図９】
2005336943.tif 000011
【図１０】
2005336943.tif 000012
【図１１】
2005336943.tif 000013
【図１２】
2005336943.tif 000014